(57)【特許請求の範囲】
【請求項１】
外周にコイルを配置したセンターポールを中心部に有するプレートと、このプレートと一体化された樹脂フレームと、上記プレートを切起こして形成した上記コイルの終端と電気的に接続される端子部と、底部に上記端子部を受容する凹部を設けて上記プレート上に配置した略リング状のマグネットと、少なくともこのマグネットの中心部分においてこのマグネットより離間して支持された振動板と、この振動板を覆うように上記樹脂フレームに装着されると共に外部と内部を貫通する放射音導が設けられた共鳴カバーと、上記マグネットの外周に形成された突出片と、上記樹脂フレームに形成され、上記突出片との間で上記マグネットの回転を防止するガイドとで構成されるサウンダ。
【請求項２】
ガイドが樹脂フレームの上端から上方に突出して内側にテーパーを形成して複数設けられている請求項１に記載のサウンダ。
【請求項３】
マグネットが樹脂成形マグネットであって、突出片が上記樹脂成形マグネットと一体に形成された請求項１に記載のサウンダ。
【請求項４】
ガイドの内周を振動板の外周と略同様の円弧状とした請求項２に記載のサウンダ。
【発明の詳細な説明】
【０００１】
【発明の属する技術分野】
本発明は各種移動体通信端末などに組み込まれ、呼び出し音用として使用されるサウンダに関するものである。
【０００２】
【従来の技術】
従来技術を図３〜図５により説明する。図３は従来のサウンダの斜視図、図４は同断面図、図５は同分解斜視図である。
【０００３】
同図によると８はセンターポール７をはめ込んだ第１プレートと、この第１プレートと電気的に絶縁された第２プレートとから形成されたプレートであり、３はこのプレート８の周縁上面に結合されたリング状のマグネットであり、６はセンターポール７にはめ込まれたコイルであり、５は上記プレート８と一体成形された樹脂フレームである。上記プレート８はこの樹脂フレーム５と一体成形することによって、上記第１プレートと上記第２プレートとを電気的に絶縁されるように機械的に結合し上述の如くひとつのプレート８として取り扱うことができるものである。
２は磁気吸着によって上記マグネット３の上面周縁に外周部を支持させ、且つ内周部分は上記マグネット３およびセンターポール７との間にギャップを設けて配置された振動板である。
【０００４】
１は上記振動板２を覆うように、上記樹脂フレーム５に結合された共鳴カバーであり、この共鳴カバー１の側面には放射音導９を設けると共に振動板２上に空気室１１を形成している。４は上記プレート８の第１および第２のプレートの夫々の一部を切起こして設けられた端子部であり、上記センターポール７に巻回されているコイル６の終端が巻き付けられ半田付けされている。
【０００５】
なお、この端子部４は上記マグネット３の下面に配置されるため、マグネット３の底部にはこの端子部４の突出に対応する凹部３ａが形成されている。
【０００６】
【発明が解決しようとする課題】
しかしながら上記従来の構成では、例えばマグネット３はプレート８と接着固着されているが、組立途中での接着未硬化状態での振動等による上下動によってマグネット３が端子部４に乗り上げた状態で固定されて振動板２とセンターポール７間の設定どおりのギャップが確保されないということになったり、振動板２においても、その内径を装着作業の機械化、効率化を図るために樹脂フレーム５の内径より多少小さく設定しているため、傾いて装着されたり、共鳴カバー１と樹脂フレーム５の結合時に振動板２がずれる等の内蔵部品が規定の位置に装着されないことのために、サウンダ本来の呼び出し機能が損なわれ、著しいときは発音しないという課題を有するものであった。
【０００７】
本発明は上記従来のサウンダの課題を解決し、信頼性に優れたサウンダを提供することを目的とするものである。
【０００８】
【課題を解決するための手段】
上記課題を解決するために本発明のサウンダは、外周にコイルを配置したセンターポールを中心部に有するプレートと、このプレートと一体化された樹脂フレームと、上記プレートを切起こして形成した上記コイルの終端と電気的に接続される端子部と、底部に上記端子部を受容する凹部を設けて上記プレート上に配置した略リング状のマグネットと、少なくともこのマグネットの中心部分においてこのマグネットより離間して支持された振動板と、この振動板を覆うように上記樹脂フレームに装着されると共に外部と内部を貫通する放射音導が設けられた共鳴カバーと、上記マグネットの外周に形成された突出片と、上記樹脂フレームに形成され、上記突出片との間で上記マグネットの回転を防止するガイドとで構成したものであり、突出片と上記ガイドによってサウンダ組立時の上下動によってもマグネットは回転せず、従って端子部に乗り上げることのないものとすることができ、品質の安定したサウンダの提供を可能とするものである。
【０００９】
【発明の実施の形態】
本発明のサウンダの請求項１に記載の発明は、マグネットの外周に形成された突出片を設け、樹脂フレームに上記突出片とで上記マグネットの回転を防止するガイドを形成したので、組立途上のプレートとマグネット間の接着剤が未硬化状態であって移送等による振動によって上記マグネットが上下動したとしても回転することはなく、マグネットが端子部に乗り上げることはなく、実用上優れたサウンダを提供できるものである。
【００１０】
本発明の請求項２に記載の発明は、請求項１のガイドが樹脂フレームの上端から上方に突出して内側にテーパーを形成して複数設けられているのでマグネットの突出片の側面を当てながら装着することでマグネットの位置決め装着が容易に行えるとともに、振動板の装着も容易に行えるものである。
【００１１】
本発明の請求項３に記載の発明は、突出片が樹脂成形マグネットと一体に形成されたものであり、ガイドに対してマグネットの固定を確実に行い、組立工数も少なくすることができる。
【００１３】
本発明の請求項４に記載のものは、請求項２のガイドの内周を振動板の内周と略同様の円弧状としたものであり、振動板の径をより大きくできるとともに、振動板の上下動作時の傾きを抑制し、安定した発音が得られるものである。
【００１４】
以下、本発明のサウンダの一実施の形態について図１および図２により説明する。なお、説明にあたっては従来技術と同一部分は同一番号を付与し、説明を省略して説明する。
【００１５】
図１は本発明のサウンダの一実施の形態の分解斜視図であり、図２は同要部である樹脂ケースとマグネットの関係を説明するための上面図である。
【００１６】
同図によると、１２は樹脂成形のマグネットであり、側面が逆テーパー状の扇形の突出片１２ａが一体に形成されている。
【００１７】
１３は回転防止用のガイドであり、樹脂フレーム５ａの上面に上方向に向けて突出して設けられている。このガイド１３の先端は外周から内側に向けてテーパーが設けられており、このテーパーによってマグネット１２や振動板２が挿入される時のセッティング位置が多少ばらついても規定の位置に装着することができ、挿入操作の容易性を図り、機械挿入が容易に行えるとともに、特に振動板２はセッティングのバラツキを考慮して従来径の小さいものを使用していたものをより径の大きい振動板を使用できるので、振動板２の有効径を拡大して、サウンダの音圧の向上にも寄与できるものである。
【００１８】
また、上記ガイド１３の内周は振動板２の外周と略同径の円弧状としてあるので、振動板２の径をより大きくできるとともに、振動板２の上下動作時の傾きを抑制し、安定した発音が得られるものである。
【００１９】
従って、上記ガイド１３は突出片１２ａと対応しない位置にもマグネット１２および振動板２の挿入位置に合せて円周状に設けられている。
【００２０】
また、上記マグネット１２の突出片１２ａは、それぞれが対応するガイド１３に完全にはめ込まれる必要はない。
【００２１】
即ち、突出片１２ａの側面４辺がガイド１３にはめ込まれるものであるとマグネット１２の樹脂フレーム５ａへの挿入作業が煩雑になる。従って、本実施の形態においては２つの突出片１２ａの両外側の側面１２ｂのみが対応するガイド１３の側面に沿って挿入されるように寸法関係が設定され、マグネット１２の回転が阻止されている。
【００２２】
以上のように、２つの突出片１２ａの外側側面とガイド１３を嵌め合わせることで、マグネット１２の樹脂フレーム５ａへの挿入の煩雑さ（突出片１２ａの側面４ヵ所ともガイド１３に沿ってはめ込むことは困難）と組立時の移送等によるマグネット１２の上下動に伴うマグネット１２自体の回転防止を離間した突出片１２ａの外側側面１２ｂとガイド１３で行うことで、多少のルーズさがあっても回転は極力抑えることを可能とし、マグネット１２の端子部４への乗り上げを防止している。
【００２３】
なお、従来の技術、本実施の形態とも振動板２はマグネット３、１２の外周縁において支持されるものとして説明したが、他の部分例えば樹脂フレーム等で支持しても良く、この場合はガイド１３を樹脂フレーム５ａの凹部内周より若干外周側に設け、内周の全周に縁部を設け、振動板２を載置すれば良く、上記構成で更に振動板２の径を大きくできる。
【００２４】
また、突出片１２ａを扇形としているので、ガイド１３の突出片１２ａの当接面を逆扇形とすることで突出片１２ａとガイド１３の上記当接面との接触面積を増加させ、回転止め強度を向上させることも可能である。
【００２５】
なお、マグネット１２としてはフェライト材からなるものを用い、突出片１２ａは別のもので構成し、マグネット１２の外周の所定の位置に接着等で結合しても同様の目的を達成することができる。
【００２６】
【発明の効果】
以上のように本発明のサウンダは、組立途中でのマグネットの回転防止を図り、端子部への乗り上げを抑止し、振動板とセンターポール等の磁気回路とのギャップを安定させて品質の安定したサウンダを提供できるものである。
【図面の簡単な説明】
【図１】本発明のサウンダの一実施の形態の分解斜視図
【図２】同要部である樹脂ケースとマグネットの関係を説明するための上面図
【図３】従来のサウンダの斜視図
【図４】同断面図
【図５】同分解斜視図
【符号の説明】
１  共鳴カバー
２  振動板
４  端子部
５ａ  樹脂フレーム
６  コイル
７  センターポール
８  プレート
１２  マグネット
１２ａ  突出片
１３  ガイド
【図１】
0004195954.tif 000002
【図２】
0004195954.tif 000003
【図３】
0004195954.tif 000004
【図４】
0004195954.tif 000005
【図５】
0004195954.tif 000006